(57)【特許請求の範囲】
【請求項１】
一組のレンズと前記一組のレンズを連結するブリッヂ部と、当該ブリッヂ部に両端を固定され、前記レンズの周囲を一巡する固定線と、先端部にパイプを溶接したテンプルと、からなる眼鏡フレームであって、
前記一組のレンズには前記ブリッジ部の位置を固定する為の凹部と、前記パイプを取り付ける為の切り込みが設けられ、
前記ブリッジ部は前記凹部が設けられた位置でレンズを挟み固定し、
前記テンプルは、前記パイプが前記レンズ固定線を軸として回転することにより開閉されるものであることを特徴とする眼鏡フレーム。
【請求項２】
請求項１の記載の眼鏡フレームにおいて、
前記ブリッジ両先端より内寄り、且つ背面にレンズ受け板とレンズ固定ボルトを密着させて設け、
前記固定ボルトには変形横長のレンズ押さえ座が嵌め込まれており、
前記レンズの凹部は、前記固定ボルトに嵌め込まれ、前記押さえ座により挟まれ固定されてなる眼鏡フレーム。
【発明の詳細な説明】
【技術分野】
【０００１】  本件、眼鏡フレームは、フチナシ眼鏡とナイロール眼鏡の長所を併せ持つ全く新しい眼鏡フレームです。
【背景技術】
【０００２】
【０００３】
【特許文献】  類似参考案件は有りません
此の〈蝶番なし眼鏡フレーム〉が特許に値するか否か、去る平成１７年１１月１５日貴特許庁に出向き資料（技術内容・メガネの蝶番データーコード２Ｈ００６−ＦタームＡＣ００−ＡＣ０１・６７８件と（ネジ以外）３００余件）を１１月２２日Ｇ０２Ｃ５／１２  １１１１件を閲覧させて頂きました、又１２月９日私の職場からインターネットで特許庁ホームページの公報テキストで眼鏡フレームで検索ヒット件数２５６件の図面を詳しく照合致しましたが類似した構造の案件が見あたりませんでした
【発明の開示】
【発明が解決しようとする課題】
【０００４】  蝶番なし眼鏡フレームについて
永年使用され続けている蝶番は、錆び付き、ネジのユルミ、外れ、折れ、とにかく事故の多い部位でしたが蝶番なしではメガネフレームに成りませんでした【０００５】  フチナシ眼鏡のトラブルについて
更にフチナシ眼鏡ではレンズの割れ、レンズの留め具まわりの傷みが激しくトラブルが絶えませんでした
【課題を解決するための手段】
【０００６】  本発明はメガネフレームに永年に亘って使用され続けている蝶番を無くしました、従来は手〈テンプル〉と肩〈智〉を２個の物体で作り蝶番に依り連結し前記蝶番に依り眼鏡の開閉をして居ましたが、
本件では手と肩〈智〉を一体にして先端部に  金属パイプ（４）１個を横に溶接した簡素な構造のメガネフレームを発明しました
当該一組のレンズの周囲には、レンズの、固定線（２０）を嵌め込む為の溝（１７）を切り、内側に、ブリッジ部に固定する為の凹部（１９）と外側に前記テンプル（１）の前記パイプを固定する切り込み（１８）を持った（図８）のレンズ一組を用意します
前記レンズを図１の中央ブリッジ（５）の左右に結合し、一組の前記固定線に依り連結された、前記一組のレンズを挟んで外側に前記テンプル一組を左右に配します
図９の前記ブリッヂには  前記固定線を取付る孔（イ、ロ）を有する、レンズ受け板（８）が設けられて居ます、前記レンズ受け板上端孔（イ）から発した前記レンズ固定線（樹脂線又は金属線）が、前記レンズの周囲に掘られた溝（１７）に沿って上辺を巡り外側（１８）で  前記テンプルのパイプの中を通過してレンズ下辺を巡り  前記レンズ受けの下端孔（ロ）に固定します・同作業を左右レンズに施します【０００７】  本発明テンプルと一対をなすレンズ加工の改良
レンズについて申し述べます、本案件〈蝶番なし眼鏡フレーム〉には▲１▼テンプルと▲５▼ブリッヂの改良の他、レンズの加工にも工夫が必要でした、レンズの型取り後〈図７参照〉レンズ周囲に溝切りをします〈図８参照〉の様にレンズの内側には位置固定用▲１９▼の凹みを外側にはテンプル取り付け用の▲１８▼切り込みを作ります【０００８】  ▲４▼金属パイプの開口部▲４▼−２は内側断面に充分な丸みを付けテンプル開閉時の摩耗を防ぐ工夫をしました（図２の▲４▼−２）【０００９】  本件フチナシ眼鏡は当該一組のレンズ（図８参照）に穴を空けず、前記一組のレンズのブリッジ側には凹（１９）を付け、前記レンズの外側にはテンプル（１）のパイプ（４）固定用の切り込み（１８）を設け、当該眼鏡は、ブリッジの背面に、
先端より内寄り左右に、レンズ受け板（８）とレンズ固定ボルト（９）を密着して設け、
前記レンズ受け板の先端には、前記レンズ固定線を繋ぐ孔を設け、
前記固定ボルトに嵌め込む（図５）、変形横長の弾性に富むプラスチック座（１０−２）と金属座（１１−２）を新設した。
本件眼鏡フレームは、前記固定線とテンプルの前記パイプ（４）によって開閉される。
前記固定線は、前記パイプ（４）を通過して両端を前記レンズ受け板の両端孔に繋ぎ、前記レンズ周囲に切られた溝に、前記固定線を嵌め込みながら、前記レンズの凹部を、前記固定ボルトに嵌め込む。
（図４）順序で、前記座（１０）、ナット（１１）、の順にて固定する、
前記作業を前記一組のレンズに施す。
【発明の効果】
【００１０】  上述したように本発明の蝶番のない眼鏡フレームは蝶番から発生するトラブルをなくしました
レンズに穴を開けずにフチナシ眼鏡を作る事でフチナシ眼鏡が大変丈夫に成りました、其の理由は（図４）の構造図解の様にレンズを穴で固定せず▲７▼▲８▼と▲１０▼▲１１▼▲２０▼固定糸で４方向からレンズの縁を挟んで居る為、無理な加重が掛かってもレンズが割れないで▲１０▼▲１１▼に反りが働き最悪でも外れるだけで、再組み立てで其の儘使用できます【００１１】  本件眼鏡フレームは、（〔０００９〕）に表示している新構造により、従来の有孔フチナシ眼鏡より視野が広くなりました。
前記有孔フチナシ眼鏡はブリッヂ（図６）全体としては（図１０・正面図）の様にレンズ外周より、それぞれ内側に孔が設けられ、
その孔に対応した、レンズ受け板（８）と固定ボルト（９）が離れて位置し、取付スペース（ハ）が広く成っています。
本件眼鏡フレームは、レンズに孔を設けず、ブリッジ背面にレンズ受け板（８）とレンズ固定ボルト（９）の密着により、前記有孔眼鏡フレームの（８）（９）が離れた取付スペース分が、不要となります。
本件眼鏡フレームでは、前記レンズ凹部（１９）を挟む為の、ブリッジ両先端のベロ部（７）と変形横長座（１０）（１１）が視野を遮る、ものの、
前記有孔フチナシ眼鏡に比べ、本件眼鏡フレームは、レンズ取付スペース（ハ）が狭く、又、
テンプル側ても取付スペース（ハ）が狭くなり、前記有孔フチナシ眼鏡のレンズ縁から孔までのスペース相当分だけ、本件眼鏡の視野が広くなりました。【００１２】  デザインの多様性について
本案件はレンズの周りを糸状で固定する為フチナシ眼鏡のデザインの多様性、自由性を全く阻害せず、▲２０▼固定糸に色彩を施すこと等で従来よりもカラフルな眼鏡作りが出来ます、【００１３】  装用時の掛け心地について
従来の眼鏡フレームの装用感は概ねテンプルの弾性に求めて居ましたが、本件フチナシ眼鏡ではレンズの周囲を巡る固定線（２０）に直接テンプル（１）を接続し前記テンプルが顔幅より少し閉じた形で、〈テンプル先端（１−２）が前記レンズ外面に接する角度〉に初期設定します、
此の前記テンプルを顔幅に広げると前記テンプル先端がレンズ外面にテコの様に働き前記レンズの周囲を巡る前記固定線が前記レンズを絞るように伸縮し前記パイプと前記テンプルを内側に引き寄せ前記テンプルの弾性と相まって、圧迫感がなく、眼鏡のズリ落ちを防ぎ、心地よい装用感を与えます。【００１４】  折りたたみが出来て従来品よりの薄く折りたため携帯にも便利、素材も多種の素材の使用が出来ます、本案件は簡素な構造の為、コストダウンが計れます、
【発明を実施する為の最良の形態】
【実施例】
【００１５】  以下本発明の実施の形態を図１から図１０に基づいて説明します
図１▲８▼の上端から発した▲２０▼固定糸がレンズの上辺を伝い▲４▼のパイプを通り▲１４▼レンズ下辺を一巡して▲８▼の下端に固定する【００１６】  図２は本件眼鏡を、装用時の８割程度、テンプル（１）を開いた図ですが前記テンプルには金属パイプ（４）が溶接されているだけ、（中を固定線が通って居る）この時点で前記テンプル先端（１−２）が、前記レンズ外面に接して一旦開きがとまる、其の時点より前記テンプルを開くと前記固定線が拡張して前記テンプルの弾性との相乗作用で快適な装用感が生まれる・詳細は（００１３）にて記述。【００１７】  図３は図２テンプル部分の拡大図で眼鏡を開いて内側から見た図で▲２０▼固定糸、との摩擦を減らす為パイプの開口部内側に丸みを付ける、▲４▼の開口部▲４▼−２を示す【００１８】  図４は▲８▼と▲９▼が密着しています（図６と比較）▲８▼▲９▼の密着により本発明の穴開けの無いフチナシ眼鏡が実現しました【００１９】  図５は〈穴開けの無いフチナシ眼鏡〉実現の為に今回考案したレンズ押さえ部品の拡大図で▲１０▼−２の素材はプラスチック・▲１１▼−２は金属板です・▲８▼はレンズ固定板（正面図）で４個の穴と両端に糸安定凹みを持っています【００２０】  図６は現在市販されている代表的なフチナシ眼鏡のブリッヂ断面図です・本発明品との比較例として図表しました▲８▼と▲９▼が離れて居るのが本案件との違いです【００２１】  図７はレンズを型取りして周囲に溝を切り（ナイロール眼鏡の定番）固定糸▲２０▼を付けた状態【００２２】  図８は本発明の蝶番のないテンプル実現と一対を成す物でレンズ内側に位置固定用の凹み・レンズ外側にはテンプル取り付けようの切り込みを有する【００２３】  図９は本件眼鏡の組上がり図です
図面は（図９）、（図１０）共にレンズサイズを等しく描きました、
取付スペースは固定線（２０）が（イ）から発し、パイプ（４）を通過してレンズを一巡して（ロ）に固定、取付スペース（ハ）は、本件眼鏡のレンズ受け板（８）とレンズ固定ボルト（９）が密着して（図９）の前記取付スペース（ハ）が（有孔眼鏡（図１０）の取付スペース（ハ）より狭い。
従って視野については、（図９）の視野（Ｃ３：Ｃ４）が（図１０）の視野（Ｃ１：Ｃ２）と比較して、本件眼鏡フレームの前記取付スペース（ハ）が狭い分だけ広くなります。【００２４】  図１０は現在流通している有孔フチナシ眼鏡で、本件眼鏡（図９）との比較で表示しました
図９と図１０はレンズは同一サイズで描き、取付部分の違う部位は書き足しました。
取付スペース及び視野に付いては（〔００２３〕）同じです。
【産業上の利用可能性】
【００２５】  広範な素材が使用出来る
近年新たな素材が開発され素材の弾性にのみ頼り、様々な素材を使用した眼鏡フレームが出回って居ます、
本発明は昔ながらの太いセルロイド等の太物以外、何でも良いようです、
試作品の手作りは手持ちのステンレス線を用いて作りましたが、なかなかの物です、眼鏡業界ではステンレス製は安物とされて居ますが、其のステンレス線を使って、良い装用感ですから、本格的に生産が出来れば更に良い物が、出来る思います、幸いにして本物件が特許登録認可されれば、当該外国にも特許を収得して、停滞している眼鏡産地の輸出にも道が開け活性化にも寄与出来ればと願っています
簡単な構造に依り生産コストの低下、パーツの標準化、消費者えの廉価提供に寄与する、やがて消費者が自由な組み合わせで眼鏡を選ぶ時代か来るかも・・・
【図面の簡単な説明】
【００２６】
【図１】  正面見取り図
【図２】  眼鏡を上から見て開いた図
【図３】  レンズ外側と蝶番なしテンプル元部の拡大図
【図４】  発明したブリッヂの上からの断面拡大図
【図５】  発明したブリッヂのレンズ固定部品の拡大図
【図６】  従来のブリッヂの拡大図
【図７】  レンズの溝切り断面図
【図８】  本発明で考案したレンズの正面図
【図９】  本発明した眼鏡の視野図
【図１０】  従来のフチナシ眼鏡の視野図
【符号の説明】
【００３２】  図面上の本物件の請求項に関わる部分には太文字で表示しました
部位個々に簡単な説明を付けました。
〈▲１▼▲２▼▲４▼まで請求項１に属します〉
▲１▼テンプル（新構造体で・特許物体）
▲２▼智（従来品は肩の部分で内側はレンズ・外側には蝶番の片方が付いて居ます）
▲２▼−２智の先端
▲３▼テンプル（手とも言います・智と接する方には蝶番の相方が・先端には耳掛けに成って居ますが本物件には無関係にて一部だけ図表示して居ります）
▲４▼パイプ（本発明の根幹部です）
▲４▼−２パイプ開口部（内側角に丸みを作り中を通る糸との摩擦と伸縮を円滑にする）
〈▲５▼から▲１１▼が請求項２に属します〉
▲８▼と▲９▼の密着が（レンズの穴開けしない眼鏡・の核心部）
▲５▼ブリッヂ全体
▲６▼ブリッヂ中央（フレームバランス）
▲７▼ブリッヂベロ（ブリッヂ中央依り薄くレンズの前面縁を支える）
▲７▼−２ベロ部の緩衝材
▲８▼レンズ受け板（レンズ固定線用の穴を有し・本物件が初めてで有る・更に鼻当てパットの軸を一体化したことで部品数も減りコストダウンに成ります）
▲９▼レンズ固定ボルト
▲１０▼−１丸形ブラ座（丸形丸穴プラスチック座）
▲１０▼−２横長ブラ座（横長偏穴プラスチック座）（新開発）
▲１１▼−１丸形座金（丸形丸穴金属座）
▲１１▼−２Ｌ型座金（Ｌ型横長偏穴金属座（新開発）
▲１２▼ナット
▲１３▼帽子ナット
〈▲１８▼▲１９▼が請求項１に属します〉
▲１４▼レンズ全体
▲１５▼レンズ右
▲１６▼レンズ左
▲１７▼レンズ溝切り（ナイロール眼鏡では・常用で一般化）
▲１８▼４レンズ外側切り込み（新考案で本物件の対象）
▲１９▼レンズ内側凹み（新考案で本物件の対象）
▲２０▼レンズ固定線（樹脂糸又は金属線）
イ    レンズ受け板（８）のレンズ固定線（２０）の始点
ロ    レンズ受け板（８）のレンズ固定線（２０）の終点
ハ    レンズの取付スペース
Ｃ１：Ｃ２  有孔フチナシ眼鏡の視野
Ｃ３：Ｃ４  本件フチナシ眼鏡の視野
【要約】      （修正有）【課題】蝶番を無くし、蝶番から発生するトラブルを無くした簡素で軽量化が容易なフチナシ眼鏡フレームの提供。【解決手段】ブリッジから発したレンズ固定線に智を一体にしたテンプルを取り付け、前記智部には内側断面に充分な丸みをつけた金属パイプを溶接する。一方、此のテンプルと一対になる眼鏡レンズにはレンズの穴開けを無くし、レンズの内側に位置決めの凹みを付け、レンズの外側には切り込みを付ける。これらにより眼鏡レンズとテンプルを一体にする。【選択図】図１【図９】
0003924686.tif 000002
【図１０】
0003924686.tif 000003
【図１】
0003924686.tif 000004
【図２】
0003924686.tif 000005
【図３】
0003924686.tif 000006
【図４】
0003924686.tif 000007
【図５】
0003924686.tif 000008
【図６】
0003924686.tif 000009
【図７】
0003924686.tif 000010
【図８】
0003924686.tif 000011